(57)【要約】【課題】撮影画像データに関して、複数種類あるうち所望の要求を実行するに際しての、ユーザ操作並びにカメラ付き電子機器による制御を共に簡略化することを可能とするカメラ付き電子機器、プログラム及び記録媒体を提供する。【解決手段】カメラ２と、撮影操作を行うための撮影操作手段（数字キー３１〜４０）とを備え、撮影操作に基づき生成される撮影画像データに関する制御を、複数種類の制御態様の何れかで行うことが可能に構成されている。撮影操作手段（数字キー３１〜４０）を複数備えるとともに、各々の撮影操作手段には何れかの制御態様が対応付けられている。一の撮影操作手段が操作された場合に、該操作に基づく撮影画像データに関する制御を、該操作された撮影操作手段と対応する制御態様で行う操作別制御実行手段（制御回路部８）を備える。【選択図】    図５
2004320622.tif 000002
【特許請求の範囲】
【請求項１】
カメラと、該カメラによる撮影を実行する操作を行うための撮影操作手段と、を備え、該撮影操作手段の操作に基づき生成される撮影画像データに関する制御を、複数種類の制御態様の何れかで行うことが可能に構成された電子機器において、
前記撮影操作手段を複数備えるとともに、各々の撮影操作手段には何れかの制御態様が対応付けられ、
一の撮影操作手段が操作された場合に、該操作に基づく撮影画像データに関する制御を、該操作された撮影操作手段と対応する制御態様で行う操作別制御実行手段を備えることを特徴とするカメラ付き電子機器。
【請求項２】
撮影操作手段と制御態様とが１対１で対応付けられていることを特徴とする請求項１に記載のカメラ付き電子機器。
【請求項３】
前記操作別制御実行手段による制御が有効な状態と、無効な状態と、の何れか一方に切替操作するための制御有効／無効切替操作手段を更に備えることを特徴とする請求項１又は２に記載のカメラ付き電子機器。
【請求項４】
当該カメラ付き電子機器は、撮影画像データに関する制御として、撮影画像データを複数の保存先の何れかへ保存する制御を行うことが可能に構成され、
前記撮影操作手段には、何れかの保存先に対応付けられて保存先の指定操作に兼用される保存先指定用撮影操作手段が複数含まれ、
前記操作別制御実行手段には、
一の保存先指定用撮影操作手段が操作された場合に、該操作に基づく撮影画像データを、該操作された保存先指定用撮影操作手段と対応する保存先に保存する制御を行う操作別保存制御実行手段が含まれていることを特徴とする請求項１又は２に記載のカメラ付き電子機器。
【請求項５】
前記操作別保存制御実行手段による撮影画像データの保存先には、ユーザが予め作成した保存先が含まれていることを特徴とする請求項６に記載のカメラ付き電子機器。
【請求項６】
前記操作別保存制御実行手段による撮影画像データの保存制御が有効な状態と、無効な状態と、の何れか一方に切替操作するための保存制御有効／無効切替操作手段を更に備えることを特徴とする請求項４又は５に記載のカメラ付き電子機器。
【請求項７】
当該カメラ付き電子機器は、撮影画像データに関する制御として、撮影画像データの画像サイズを複数種類の画像サイズの何れかに設定する制御を行うことが可能に構成され、
前記保存先指定用撮影操作手段には、何れかの画像サイズに対応付けられて画像サイズの指定操作に兼用されるサイズ指定用撮影操作手段が複数含まれ、
前記操作別制御実行手段には、
一のサイズ指定用撮影操作手段が操作された場合に、該操作に基づく撮影画像データの画像サイズを、該操作されたサイズ指定用撮影操作手段と対応する画像サイズに設定する制御を行う操作別サイズ設定制御実行手段が含まれていることを特徴とする請求項４又は５に記載のカメラ付き電子機器。
【請求項８】
前記操作別サイズ設定制御実行手段による画像サイズの設定制御が有効な状態と、無効な状態と、の何れか一方に切替操作するためのサイズ設定制御有効／無効切替操作手段と、
前記操作別保存制御実行手段による撮影画像データの保存制御が有効な状態と、無効な状態と、の何れか一方に切替操作するための保存制御有効／無効切替操作手段と、
を更に備えることを特徴とする請求項７に記載のカメラ付き電子機器。
【請求項９】
前記操作別保存制御実行手段による撮影画像データの保存制御と、前記操作別サイズ設定制御実行手段による画像サイズの設定制御と、のうち何れか一方が有効となっている状態時に、他方を有効とさせる切替操作がなされた場合に、エラー報知を行うエラー報知手段を備えることを特徴とする請求項８に記載のカメラ付き電子機器。
【請求項１０】
前記エラー報知手段は、表示によりエラー報知を行うことを特徴とする請求項９に記載のカメラ付き電子機器。
【請求項１１】
当該カメラ付き電子機器は、該電子機器の動作モードを、カメラによる撮影が実行可能な撮影モードと、その他のモードとに切替可能に構成され、
このうち撮影モードとなっている状態時において保存先指定用撮影操作手段が操作されることで撮影が実行された場合に、該操作に基づく撮影画像データを該操作された保存先指定用撮影操作手段と対応する保存先へ保存する制御を、一連の撮影モード中に行うようにしたことを特徴とする請求項４乃至１０のいずれか一項に記載のカメラ付き電子機器。
【請求項１２】
保存先指定用撮影操作手段による撮影操作に続いて、該撮影操作に基づく撮影画像データの保存を要求する保存要求操作がなされた場合にのみ、該撮影操作にて操作された保存先指定用撮影操作手段と対応する保存先に撮影画像データを保存するようにしたことを特徴とする請求項４乃至１１のいずれか一項に記載のカメラ付き電子機器。
【請求項１３】
前記撮影操作に続いて、前記保存要求操作がなされた場合に、該撮影操作にて操作されたのは何れの保存先指定用撮影操作手段であったかを判定し、該操作されたと判定した保存先指定用撮影操作手段と対応する保存先へ撮影画像データを保存するようにしたことを特徴とする請求項１２に記載のカメラ付き電子機器。
【請求項１４】
当該カメラ付き電子機器は、撮影画像データに関する制御として、撮影画像データの画像サイズを複数種類の画像サイズの何れかに設定する制御を行うことが可能に構成され、
前記撮影操作手段には、何れかの画像サイズに対応付けられて画像サイズの指定操作に兼用されるサイズ指定用撮影操作手段が複数含まれ、
前記操作別制御実行手段には、
一のサイズ指定用撮影操作手段が操作された場合に、該操作に基づく撮影画像データの画像サイズを、該操作されたサイズ指定用撮影操作手段と対応する画像サイズに設定する制御を行う操作別サイズ設定制御実行手段が含まれていることを特徴とする請求項１又は２に記載のカメラ付き電子機器。
【請求項１５】
前記操作別サイズ設定制御実行手段による画像サイズの設定制御が有効な状態と、無効な状態と、の何れか一方に切替操作するためのサイズ設定制御有効／無効切替操作手段を更に備えることを特徴とする請求項１４に記載のカメラ付き電子機器。
【請求項１６】
当該カメラ付き電子機器は、撮影画像データに関する制御として、撮影画像データを、該撮影画像データの画像サイズを複数種類の画像サイズの何れかに設定して複数の保存先の何れかへ保存する制御を行うことが可能に構成され、
前記撮影操作手段には、何れかの保存先及び画像サイズが対応付けられて保存先及び画像サイズの指定操作に兼用されるサイズ・保存先指定用撮影操作手段が複数含まれ、
前記操作別制御実行手段には、
一のサイズ・保存先指定用撮影操作手段が操作された場合に、該操作に基づく撮影画像データを、該操作されたサイズ・保存先指定用撮影操作手段と対応する画像サイズに設定して対応する保存先へ保存する制御を行う操作別サイズ設定・保存制御実行手段が含まれていることを特徴とする請求項１又は２に記載のカメラ付き電子機器。
【請求項１７】
前記操作別サイズ設定・保存制御実行手段による撮影画像データのサイズ設定・保存制御が有効な状態と、無効な状態と、の何れか一方に切替操作するためのサイズ設定・保存制御有効／無効切替操作手段を更に備えることを特徴とする請求項１６に記載のカメラ付き電子機器。
【請求項１８】
当該カメラ付き電子機器は、撮影画像データに関する制御として、撮影画像データを複数の保存先の何れかへ保存する制御と、撮影画像データの画像サイズを複数種類の画像サイズの何れかに設定する制御と、を行うことが可能に構成され、
前記撮影操作手段には、何れかの保存先に対応付けられて保存先の指定操作に兼用される複数の保存先指定用撮影操作手段と、これら保存先指定用撮影操作手段とは別個で、何れかの画像サイズに対応付けられて画像サイズの指定操作に兼用される複数のサイズ指定用撮影操作手段と、が含まれ、
前記操作別制御実行手段には、
一のサイズ指定用撮影操作手段が操作された場合に、該操作に基づく撮影画像データの画像サイズを、該操作されたサイズ指定用撮影操作手段と対応する画像サイズに設定する制御を行う操作別サイズ設定制御実行手段と、
一の保存先指定用撮影操作手段が操作された場合に、該操作に基づく撮影画像データを、該操作された保存先指定用撮影操作手段と対応する保存先に保存する制御を行う操作別保存制御実行手段と、
が含まれていることを特徴とする請求項１又は２に記載のカメラ付き電子機器。
【請求項１９】
カメラと、該カメラによる撮影を実行する操作を行うための撮影操作手段と、を備える電子機器において、
撮影操作が行われた場合に、該撮影操作に基づき生成される撮影画像データを、ユーザが予め作成した保存先に保存する制御を行う保存制御手段を備えることを特徴とするカメラ付き電子機器。
【請求項２０】
前記撮影操作手段は、押圧操作される操作キーからなることを特徴とする請求項１乃至１９のいずれか一項に記載のカメラ付き電子機器。
【請求項２１】
前記撮影操作手段は、数字、文字或いは記号の入力操作を行うための入力操作手段として兼用されることを特徴とする請求項１乃至２０のいずれか一項に記載のカメラ付き電子機器。
【請求項２２】
当該カメラ付き電子機器は、携帯情報端末装置であることを特徴とする請求項１乃至２１のいずれか一項に記載のカメラ付き電子機器。
【請求項２３】
前記携帯情報端末装置は、携帯電話機であることを特徴とする請求項２２に記載のカメラ付き電子機器。
【請求項２４】
コンピュータが実行可能なプログラムにおいて、
請求項１乃至２３のいずれか一項に記載のカメラ付き電子機器による制御を実行するプログラム。
【請求項２５】
コンピュータが読み取り可能な記録媒体において、
請求項２４に記載のプログラムが記録されていることを特徴とする記録媒体。
【発明の詳細な説明】
【０００１】
【発明の属する技術分野】
本発明は、カメラ付き電子機器に関する。
【０００２】
【従来の技術】
従来、カメラを備え、該カメラによる撮影によって撮影画像データを得ることが可能なカメラ付き電子機器として、例えばカメラ付き携帯電話機が考えられている（例えば、特許文献１参照）。
【０００３】
このようなカメラ付き携帯電話機のなかには、撮影画像データを保存可能な保存先としてのフォルダが複数個に設定され、このうち所望のフォルダにユーザが撮影画像データを保存することにより撮影画像データを分類して管理できるようなタイプのものがある。このようなカメラ付き携帯電話機における撮影は、例えば、以下の要領で行うことができる。
【０００４】
すなわち、先ず、カメラ付き携帯電話機の動作モードとして撮影モードを選択する操作をユーザが行う。この操作により、カメラ付き携帯電話機はカメラ撮影モードを起動し、カメラによる撮影が可能な状態となる。この状態でユーザがシャッターキーを操作して撮影を行うと、カメラ付き携帯電話機は撮影画像データを生成する。なお、この際にカメラ付き電子機器は、生成した撮影画像データを一時保存用のフォルダ（以下、一時保存用フォルダ）に保存する。
【０００５】
続いて、この撮影画像データをユーザが指定するフォルダ（一時保存用フォルダとは別のフォルダ）に保存するには、例えば、以下に説明するような操作を要する。
【０００６】
すなわち、先ず、撮影モードの終了操作を行う。次に、保存先フォルダを選択可能なフォルダ選択モードを起動させる操作を行う。次に、所望のフォルダを保存先フォルダとして選択（指定）する。これにより、ユーザが指定した保存先フォルダへ撮影画像データが保存される。なお、保存先としてユーザが指定するフォルダとしては、例えば、ユーザが予め作成したフォルダ（以下、ユーザフォルダ）が該当する。
【０００７】
また、カメラ付き携帯電話機のなかには、撮影画像データの画像サイズを、複数種類の画像サイズ（例えば、Ｌサイズ、Ｍサイズ及びＳサイズ）の何れかに設定可能なタイプのものもある。このようなカメラ付き携帯電話機において、所望の画像サイズでの撮影を行うには、例えば、以下の操作を要する。
【０００８】
すなわち、先ず、撮影モードを選択する操作を行う。次に、撮影モードにおいて、メニューの選択モードを起動する。そして、この選択モードにて表示されるメニューの選択項目の中から、画像サイズの設定を行うための画像サイズ設定メニューを選択する。次に、所望の画像サイズを選択する。次に、画像サイズ設定メニューを終了する。次に、シャッターキーを操作して撮影を行う。これにより、所望の画像サイズでの撮影がなされる。
【０００９】
【特許文献１】
特開２００２−２７１６７１号公報（第２−５頁、第１図）
【００１０】
【発明が解決しようとする課題】
しかしながら、従来のカメラ付き携帯電話機においては、撮影により得られる撮影画像データを所望のフォルダへ保存したい場合、上記のように、撮影に基づき一時保存用フォルダに保存されている撮影画像データを、所望のフォルダ（例えばユーザが作成したユーザフォルダ）に保存し直す必要があった。すなわち、従来の場合、例えば図７に示すように、ユーザフォルダの作成（ステップＳ１０１）、撮影モードの起動（ステップＳ１０２）、撮影操作（ステップＳ１０３）、一時保存用フォルダへの撮影画像データ保存（ステップＳ１０４）、撮影モードの終了（ステップＳ１０５）、保存先フォルダの選択モードの起動（ステップＳ１０６）、保存先フォルダの指定（選択）（ステップＳ１０７）及びユーザが指定したフォルダへの撮影画像データの保存（ステップＳ１０８）といった操作或いは制御を順に経る必要があった。つまり、従来はユーザによる操作の面並びにカメラ付き携帯電話機による制御の面で何れも煩雑であるという問題があった。
【００１１】
また、撮影を所望の画像サイズとなるよう行うためには、画像サイズの設定を撮影の前に予め行っておく必要がある。すなわち、従来の場合、例えば図８に示すように、撮影モードの起動（ステップＳ１１１）、撮影モードにおけるメニューの選択モードの起動（ステップＳ１１２）、画像サイズ設定メニューの選択（ステップＳ１１３）、所望の画像サイズの選択・確定（ステップＳ１１４）、撮影操作（ステップＳ１１５）といった操作或いは制御を順に経る必要があった。よって、この場合にも、ユーザによる操作の面並びにカメラ付き携帯電話機による制御の面で何れも煩雑であるという問題があった。
【００１２】
本発明は、上記のような問題点を解決するためになされたもので、例えば、撮影画像データを複数の保存先のうち所望の保存先へ保存する場合や、撮影画像データが複数種類の画像サイズのうち所望の画像サイズとなるように撮影を行う場合等のように、撮影画像データに関して、複数種類あるうち所望の要求を実行するに際しての、ユーザ操作並びにカメラ付き電子機器による制御を共に簡略化することを可能とするカメラ付き電子機器、プログラム及び記録媒体を提供することを目的とする。
【００１３】
また、本発明は、撮影画像データをユーザが予め作成した保存先へ保存するに際してのユーザ操作並びにカメラ付き電子機器による制御を共に簡略化することを可能とするカメラ付き電子機器、プログラム及び記録媒体を提供することを目的とする。
【００１４】
【課題を解決するための手段】
上記課題を解決するため、本発明のカメラ付き電子機器は、カメラと、該カメラによる撮影を実行する操作を行うための撮影操作手段と、を備え、該撮影操作手段の操作に基づき生成される撮影画像データに関する制御を、複数種類の制御態様の何れかで行うことが可能に構成された電子機器において、前記撮影操作手段を複数備えるとともに、各々の撮影操作手段には何れかの制御態様が対応付けられ、一の撮影操作手段が操作された場合に、該操作に基づく撮影画像データに関する制御を、該操作された撮影操作手段と対応する制御態様で行う操作別制御実行手段を備えることを特徴としている。
【００１５】
ここで、カメラ付き電子機器としては、例えば、携帯電話機、ＰＨＳ（Ｐｅｒｓｏｎａｌ  Ｈａｎｄｙ  Ｐｈｏｎｅ  Ｓｙｓｔｅｍ）、携帯型情報通信端末（ＰＤＡ：Ｐｅｒｓｏｎａｌ  Ｄｉｇｉｔａｌ  Ａｓｓｉｓｔａｎｔ）等の携帯情報端末装置などが挙げられるが、その他にも、カメラ付き電子機器としては、例えば、小型の家電製品（例えば、家庭用電話機の子機、電卓等）が挙げられる。
【００１６】
また、操作別制御実行手段が行う撮影画像データに関する制御の例としては、例えば、撮影画像データを撮影操作手段と対応する保存先に保存する制御、撮影画像データの画像サイズを撮影操作手段と対応する画像サイズに設定する制御、撮影画像データを撮影操作手段と対応する画像データ形式（ＪＰＥＧ、ＧＩＦ等）に設定する制御、撮影画像データにおける色数を撮影操作手段と対応する色数に設定する制御（モノクロ又はカラーの何れかに設定したり、カラーの場合に特定の色数の何れかに設定したりする制御）、撮影操作手段と対応するデータ送信先宛に撮影画像データ（或いは撮影画像データの添付メール）を送信する制御等が挙げられる。
【００１７】
本発明のカメラ付き電子機器によれば、操作別制御実行手段を備えるので、複数の撮影操作手段のうち一の撮影操作手段をユーザが選択して操作することにより、該操作に基づく撮影画像データに関する制御を該操作した撮影操作手段と対応する制御態様で行うことができる。つまり、ユーザは、所望の制御態様が対応付けられている撮影操作手段を選んで操作することにより、撮影画像データに関する制御を所望の制御態様でカメラ付き電子機器に行わせることができる。よって、撮影画像データに関する所望の要求を実行するに際してのユーザ操作並びにカメラ付き電子機器による制御を共に簡略化することができる。
【００１８】
本発明のカメラ付き電子機器においては、撮影操作手段と制御態様とが１対１で対応付けられていることを好ましい例とするが、或いは、一の撮影操作手段に複数種類の制御態様が対応付けられていても良い。
【００１９】
また、本発明のカメラ付き電子機器においては、前記操作別制御実行手段による制御が有効な状態と、無効な状態と、の何れか一方に切替操作するための制御有効／無効切替操作手段を更に備えることを好ましい例とする。
【００２０】
また、本発明のカメラ付き電子機器は、撮影画像データに関する制御として、撮影画像データを複数の保存先の何れかへ保存する制御を行うことが可能に構成され、前記撮影操作手段には、何れかの保存先に対応付けられて保存先の指定操作に兼用される保存先指定用撮影操作手段が複数含まれ、前記操作別制御実行手段には、一の保存先指定用撮影操作手段が操作された場合に該操作に基づく撮影画像データを該操作された保存先指定用撮影操作手段と対応する保存先に保存する制御を行う操作別保存制御実行手段が含まれていることを好ましい例とする。この場合、保存先指定用撮影操作手段と保存先とが１対１で対応付けられていることを好ましい例とするが、或いは、一の保存先指定用撮影操作手段に複数の保存先が対応付けられていても良い。本発明のカメラ付き電子機器によれば、操作別保存制御実行手段を備えるので、複数の保存先指定用撮影操作手段のうち一の保存先指定用撮影操作手段をユーザが選択して操作することにより、該操作に基づく撮影画像データを該操作した保存先指定用撮影操作手段と対応する保存先に保存することができる。つまり、撮影画像データを所望の保存先へ保存するためには、該保存先が対応付けられている保存先指定用撮影操作手段を選んで操作すれば良い。よって、従来の場合とは異なり、例えば、一時保存用フォルダへの撮影画像データ保存、撮影モードの終了、保存先フォルダの選択モードの起動、保存先フォルダの指定（選択）といった煩雑な操作或いは制御を経る必要が無く、撮影画像データを所望のフォルダへ保存するに際してのユーザ操作並びにカメラ付き電子機器による制御を共に簡略化することが可能となる。
【００２１】
また、本発明のカメラ付き電子機器においては、操作別保存制御実行手段による撮影画像データの保存先には、ユーザが予め作成した保存先が含まれていることを好ましい例とする。すなわち、この場合におけるカメラ付き電子機器は、例えば、ユーザが撮影画像データの保存先を作成する操作を行うための保存先作成操作手段と、該保存先作成操作手段の操作に基づき保存先を作成する制御を行う保存先作成制御手段と、を更に備える。なお、前記操作別保存制御手段による撮影画像データの保存先の全てが、ユーザにより予め作成された保存先であるようにしても良い。
【００２２】
さらに、本発明のカメラ付き電子機器は、撮影画像データに関する制御として、撮影画像データの画像サイズを複数種類の画像サイズの何れかに設定する制御を行うことが可能に構成され、前記保存先指定用撮影操作手段には、何れかの画像サイズに対応付けられて画像サイズの指定操作に兼用されるサイズ指定用撮影操作手段が複数含まれ、前記操作別制御実行手段には、一のサイズ指定用撮影操作手段が操作された場合に該操作に基づく撮影画像データの画像サイズを該操作されたサイズ指定用撮影操作手段と対応する画像サイズに設定する制御を行う操作別サイズ設定制御実行手段が含まれていることを好ましい例とする。本発明のカメラ付き電子機器によれば、操作別サイズ設定制御実行手段を備えるので、複数のサイズ指定用撮影操作手段のうち一のサイズ指定用撮影操作手段をユーザが選択して操作することにより、該操作に基づく撮影画像データを該操作したサイズ指定用撮影操作手段と対応する画像サイズに設定することができる。つまり、撮影画像データの画像サイズを所望の画像サイズに設定するためには、該画像サイズが対応付けられているサイズ指定用撮影操作手段を選んで操作すれば良い。よって、従来の場合とは異なり、画像サイズの設定を撮影の前に予め行う必要が無く、所望の画像サイズとなるように撮影を行うに際してのユーザ操作並びにカメラ付き電子機器による制御を共に簡略化することが可能となる。
【００２３】
また、本発明のカメラ付き電子機器においては、前記操作別サイズ設定制御実行手段による画像サイズの設定制御が有効な状態と、無効な状態と、の何れか一方に切替操作するためのサイズ設定制御有効／無効切替操作手段や、前記操作別保存制御実行手段による撮影画像データの保存制御が有効な状態と、無効な状態と、の何れか一方に切替操作するための保存制御有効／無効切替操作手段を更に備えることも好ましい。
【００２４】
また、本発明のカメラ付き電子機器においては、前記操作別保存制御実行手段による撮影画像データの保存制御と、前記操作別サイズ設定制御実行手段による画像サイズの設定制御と、のうち何れか一方が有効となっている状態時に、他方を有効とさせる切替操作がなされた場合に、エラー報知を行うエラー報知手段を備えることが好ましい。ここで、エラー報知は、表示により行うようにしても良いし、発音により行うようにしても良いし、或いは表示と発音の両方で行うようにしても良い。
【００２５】
なお、本発明のカメラ付き電子機器においては、保存制御有効／無効切替操作手段及びサイズ設定制御有効／無効切替操作手段に代えて、前記操作別保存制御実行手段による撮影画像データの保存制御と、前記操作別サイズ設定制御実行手段による画像サイズの設定制御と、のいずれか一方を択一的に有効化させる操作を行うための有効化状態切替操作手段を備えるようにしても良い。
【００２６】
また、本発明のカメラ付き電子機器においては、当該電子機器の動作モードを、カメラによる撮影が実行可能な撮影モードと、その他のモードとに切替可能に構成され、このうち撮影モードとなっている状態時において保存先指定用撮影操作手段が操作されることで撮影が実行された場合に、該操作に基づく撮影画像データを該操作された保存先指定用撮影操作手段と対応する保存先へ保存する制御を、一連の撮影モード中に行うようにしたことを好ましい例とする。
【００２７】
また、本発明のカメラ付き電子機器においては、保存先指定用撮影操作手段による撮影操作に続いて、該撮影操作に基づく撮影画像データの保存を要求する保存要求操作がなされた場合にのみ、該撮影操作にて操作された保存先指定用撮影操作手段と対応する保存先に撮影画像データを保存するようにしたことを好ましい例とする。より具体的には、例えば、撮影操作に続いて、前記保存要求操作がなされた場合に、該撮影操作にて操作されたのは何れの保存先指定用撮影操作手段であったかを判定し、該操作されたと判定した保存先指定用撮影操作手段と対応する保存先へ撮影画像データを保存する。
【００２８】
また、本発明のカメラ付き電子機器においては、撮影画像データに関する制御として、撮影画像データの画像サイズを複数種類の画像サイズの何れかに設定する制御を行うことが可能に構成され、前記撮影操作手段には、何れかの画像サイズに対応付けられて画像サイズの指定操作に兼用されるサイズ指定用撮影操作手段が複数含まれ、前記操作別制御実行手段には、一のサイズ指定用撮影操作手段が操作された場合に該操作に基づく撮影画像データの画像サイズを該操作されたサイズ指定用撮影操作手段と対応する画像サイズに設定する制御を行う操作別サイズ設定制御実行手段が含まれていることも好ましい。
【００２９】
また、本発明のカメラ付き電子機器は、撮影画像データに関する制御として、撮影画像データを、該撮影画像データの画像サイズを複数種類の画像サイズの何れかに設定して複数の保存先の何れかへ保存する制御を行うことが可能に構成され、前記撮影操作手段には、何れかの保存先及び画像サイズが対応付けられて保存先及び画像サイズの指定操作に兼用されるサイズ・保存先指定用撮影操作手段が複数含まれ、前記操作別制御実行手段には、一のサイズ・保存先指定用撮影操作手段が操作された場合に、該操作に基づく撮影画像データを、該操作されたサイズ・保存先指定用撮影操作手段と対応する画像サイズに設定して対応する保存先へ保存する制御を行う操作別サイズ設定・保存制御実行手段が含まれていることも好ましい。ここで、前記操作別サイズ設定・保存制御実行手段による撮影画像データのサイズ設定・保存制御が有効な状態と、無効な状態と、の何れか一方に切替操作するためのサイズ設定・保存制御有効／無効切替操作手段を更に備えることも好ましい。本発明のカメラ付き電子機器によれば、操作別サイズ設定・保存制御実行手段を備えるので、複数のサイズ・保存先指定用撮影操作手段のうち一のサイズ・保存先指定用撮影操作手段をユーザが選択して操作することにより、該操作に基づく撮影画像データを該操作されたサイズ・保存先指定用撮影操作手段と対応する画像サイズに設定して対応する保存先へ保存することができる。つまり、撮影画像データを所望の画像サイズで所望の保存先へ保存するためには、該保存先及び画像サイズが対応付けられているサイズ・保存先指定用撮影操作手段を選んで操作すれば良い。よって、所望の画像サイズとなるように撮影を行い、この撮影により得られる撮影画像データを所望の保存先へ保存するに際しての、ユーザ操作並びにカメラ付き電子機器による制御を共に簡略化することが可能となる。
【００３０】
また、本発明のカメラ付き電子機器は、撮影画像データに関する制御として、撮影画像データを複数の保存先の何れかへ保存する制御と、撮影画像データの画像サイズを複数種類の画像サイズの何れかに設定する制御と、を行うことが可能に構成され、前記撮影操作手段には、何れかの保存先に対応付けられて保存先の指定操作に兼用される複数の保存先指定用撮影操作手段と、これら保存先指定用撮影操作手段とは別個で、何れかの画像サイズに対応付けられて画像サイズの指定操作に兼用される複数のサイズ指定用撮影操作手段と、が含まれ、前記操作別制御実行手段には、一のサイズ指定用撮影操作手段が操作された場合に、該操作に基づく撮影画像データの画像サイズを、該操作されたサイズ指定用撮影操作手段と対応する画像サイズに設定する制御を行う操作別サイズ設定制御実行手段と、一の保存先指定用撮影操作手段が操作された場合に、該操作に基づく撮影画像データを、該操作された保存先指定用撮影操作手段と対応する保存先に保存する制御を行う操作別保存制御実行手段と、が含まれていることも好ましい。
【００３１】
また、本発明のカメラ付き電子機器は、カメラと、該カメラによる撮影を実行する操作を行うための撮影操作手段と、を備える電子機器において、撮影操作が行われた場合に、該撮影操作に基づき生成される撮影画像データを、ユーザが予め作成した保存先に保存する制御を行う保存制御手段を備えることを特徴としている。本発明のカメラ付き電子機器によれば、保存制御手段を備えるので、撮影操作を行うことにより、該操作に基づく撮影画像データをユーザが予め作成した保存先に保存することができる。従って、撮影画像データをユーザが予め作成した保存先へ保存するに際してのユーザ操作並びにカメラ付き電子機器による制御を共に簡略化することができる。
【００３２】
なお、本発明における撮影操作手段は、押圧操作される操作キーからなることを好ましい例とする。また、撮影操作手段は、数字、文字或いは記号の入力操作を行うための入力操作手段（例えば数字キー）として兼用されることを好ましい例とする。
【００３３】
また、本発明のプログラムは、コンピュータが実行可能なプログラムにおいて、本発明のカメラ付き電子機器による制御の実行に必要であることを特徴としている。
【００３４】
また、本発明の記録媒体は、コンピュータが読み取り可能な記録媒体において、本発明のプログラムが記録されていることを特徴としている。
【００３５】
【発明の実施の形態】
以下、図面を参照して、本発明に係る実施の形態について説明する。本実施の形態では、本発明に係るカメラ付き電子機器の適例としての携帯電話機についての説明を行う。
〔第１の実施形態〕
図１乃至図２に示すように、第１の実施形態に係る携帯電話機１は、カメラ２と、該カメラ２による撮影を実行する操作を行うための撮影操作手段（例えば、数字キー３１〜４０）とを備え、該撮影操作手段の操作に基づき生成される撮影画像データに関する制御を、複数種類の制御態様の何れかで行うことが可能に構成されている。また、携帯電話機１が備える複数の撮影操作手段（数字キー３１〜４０）の各々には、何れかの制御態様が対応付けられている。さらに、携帯電話機１は、一の撮影操作手段（例えば数字キー３１）が操作された場合に、該操作に基づき生成される撮影画像データに関する制御を該操作された撮影操作手段（数字キー３１）と対応する制御態様で行う操作別制御実行手段としての制御回路部８（図３）を備えている。従って、本実施形態に係る携帯電話機１によれば、ユーザは、所望の制御態様が対応付けられている撮影操作手段（例えば数字キー３１）を選んで操作することにより、撮影画像データに関する制御を所望の制御態様で当該携帯電話機１に行わせることができる。よって、撮影画像データに関する所望の要求を実行するに際してのユーザ操作並びに携帯電話機１による制御を共に簡略化することができる。
【００３６】
特に、第１の実施形態に係る携帯電話機１は、撮影画像データに関する制御として、撮影画像データを複数の保存先（例えば、後述するユーザフォルダ「１」〜「１０」）の何れかへ保存する制御を行うことが可能に構成されている。ここで、各々の撮影操作手段（数字キー３１〜４０）には何れかの保存先（ユーザフォルダ「１」〜「１０」）が対応付けられていて、各撮影操作手段（数字キー３１〜４０）は、撮影操作だけでなく撮影画像データの保存先の指定操作にも兼用されるようになっている。つまり、数字キー３１〜４０はそれぞれ保存先指定用撮影操作手段を構成している。
【００３７】
そして、一の保存先指定用撮影操作手段（例えば数字キー３１）が操作された場合には、該操作に基づき生成される撮影画像データを、該操作された保存先指定用撮影操作手段（数字キー３１）と対応する保存先（例えばユーザフォルダ「１」）に保存する制御を、操作別保存制御実行手段としての制御回路部８（図３）が行う。なお、本実施形態の場合、操作別保存制御実行手段としての制御回路部８が撮影画像データを保存する保存先は、全て、ユーザが予め作成したユーザフォルダであるとする。また、撮影操作手段（数字キー３１〜４０）とユーザフォルダ「１」〜「１０」とは１対１で対応付けられている。
【００３８】
従って、第１の実施形態に係る携帯電話機１によれば、ユーザは、所望の保存先が対応付けられている保存先指定用撮影操作手段（例えば数字キー３１）を選んで操作することにより、撮影画像データを所望の保存先（例えばユーザフォルダ「１」）へ保存する制御を当該携帯電話機１に行わせることができる。よって、撮影画像データを所望のフォルダへ保存するに際してのユーザ操作並びに携帯電話機１による制御を共に簡略化することが可能となる。
【００３９】
以下、第１の実施形態について詳細に説明する。
【００４０】
図１乃至図２に示すように、携帯電話機１は、ほぼ直方体形状の第１の筐体１Ａと、第１の筐体１Ａと同様の直方体形状の第２の筐体１Ｂと、第１の筐体１Ａと第２の筐体１Ｂとを相互に回動自在に結合するヒンジ機構１Ｃと、からなっていて、このヒンジ機構１Ｃを軸として第１及び第２の筐体１Ａ、１Ｂを相対的に回動させることにより、該筐体１Ａ、１Ｂを、互いに重ね合わせるように折り畳んだり、或いは、開いたりすることができる構成となっている。
【００４１】
このような携帯電話機１は、動作モードとして、例えば、撮影が可能な撮影モードと、電子メールの作成や受信・送信済み電子メールの閲覧が可能なメールモードと、電話番号を入力して通話を行うことが可能な通常モードと、携帯電話機が実行可能な動作モードの何れかを選択するためのメニュー選択モードと、を実行可能に構成されている。すなわち、携帯電話機１は、該携帯電話機１の動作モードを、カメラ２による撮影が実行可能な撮影モードと、その他のモード（通常モード、メールモード）とに切替可能に構成されている。
【００４２】
携帯電話機１は、図１乃至図３に示すように、撮影用のカメラ２と、カメラ２による撮影の実行操作、電子メールの作成操作及び通話操作等の各種操作をユーザが行うための操作部３と、カメラ２により撮影した画像やその他の表示を行うための表示装置４と、当該携帯電話機１と外部（具体的には、例えば携帯電話用基地局）との間で無線信号を送受信するためのアンテナ５と、通話の際に相手方に送信される音声を検出する送話部６と、通話の際に相手方より受信される音声を発音する受話部７と、当該携帯電話機１の動作電源用の電池を収納した電池パック（図示略）と、当該携帯電話機１の各種構成要素を統括的に制御する制御回路部８（図３）と、各種プログラム及びデータを記憶しているとともに新たなデータを記憶可能な記憶装置９と、備えている。
【００４３】
このうちカメラ２は、詳細な図示は省略するが、例えば、レンズと、このレンズを介して被写体の光学像を受光及び検出するＣＣＤ（Ｃｈａｒｇｅ  Ｃｏｕｐｌｅｄ  Ｄｅｖｉｃｅ）等の受光センサとを備え、該受光センサで検出する光学像のデータを制御回路部８に出力する。
【００４４】
また、操作部３は、ユーザに操作される操作手段としての操作キーを複数備えている。これら操作キーは、携帯電話機１の動作モードを切り替えるための操作を行ったり、各動作モードにおいて入力操作（例えば通常モードにおける電話番号入力操作や、メールモードにおける電子メールの文章入力操作）や実行操作（例えば撮影モードにおける撮影の実行操作やユーザフォルダの作成操作）を行ったりするためのものである。
【００４５】
すなわち、操作部３の操作キーには、撮影モードにおいてカメラ２による撮影を実行する操作を行うための複数の撮影操作キー（撮影操作手段）が含まれている。ここで、携帯電話機１においては、撮影操作キーとしての機能が数字キー３１，３２，３３，３４，３５，３６，３７，３８，３９，４０（入力操作手段）にそれぞれ割り当てられている。このうち数字キー３１は、通話相手の電話番号を入力する操作或いは電子メールの文章を入力する操作を行うに際して、数字の「１」を入力するためのもので、以下、「１」キー３１ともいう。同様に、数字キー３２，３３，３４，３５，３６，３７，３８，３９，４０は、それぞれ数字の「２」、「３」、「４」、「５」、「６」、「７」、「８」、「９」、「０」を入力するためのもので、以下、それぞれ、「２」キー３２、「３」キー３３、「４」キー３４、「５」キー３５、「６」キー３６、「７」キー３７、「８」キー３８、「９」キー３９、「０」キー４０ともいうことがある。なお、これら数字キー３１〜４０は、文字或いは記号の入力用にも共通使用される。
【００４６】
操作部３は、他に、着信及び発信の際に通話状態への移行を行うための通話キー４５、通話状態を終了させるための終話キー４４、携帯電話機１の動作モードとして選択可能なメニューを表示装置４ａに表示させるとともに該メニューの何れかを選択可能な状態（メニューモード）に移行させるためのメニューキー４１、メニューモードにおける選択操作や画面のカーソル等を行うための十字カーソルキー４２、メニューモードにおける確定操作を行うための確定キー４３を備えている。
【００４７】
なお、操作部３の各操作キーは、何れも押圧により操作がなされるようになっている。すなわち、操作部３は、各操作キーと対応付けられた検出スイッチを第２の筐体１Ｂの内部に備え、一の操作キーに対する押圧操作を該操作キーと対応する検出スイッチが検出するようになっている。なお、操作を検出した検出スイッチは検出信号を制御回路部８に出力する。制御回路部８では、この検出信号の入力を受けて、各検出信号に応じた制御を該入力の際の動作モードに応じて行う。
【００４８】
また、表示装置４は、例えば、携帯電話機１を折り畳んだ際には内側に位置する面に配された第１表示装置４ａと、折り畳んだ際にも外側に位置する面に配された第２表示装置４ｂとからなる。これら第１及び第２表示装置４ａ、４ｂは、例えば何れも液晶表示装置からなる。
【００４９】
このうち、第１表示装置４ａでは、携帯電話機１の動作モードがユーザの操作に基づき変化するのに応じて様々な表示を行う。すなわち、第１表示装置４ａでは、例えば、動作モードがメールモードの際には電子メールの作成画面や受信メール或いは送信済みメールの表示を行い、撮影モードの際にはカメラ２の受光センサより入力される光学像を表示する（つまり、第１表示装置４ａは、撮影モードの際にはファインダーとして機能する）。
【００５０】
また、記憶装置（記録媒体）９は、制御回路部８による演算用及び制御用のデータや、演算用および制御用のプログラムを記憶している。また、記憶装置９は、制御回路部８がプログラムを実行する際に各種データを一時的に記憶する記憶領域、制御回路部８の作業領域、並びに、ユーザの操作に基づき制御回路部８にて生成されたデータ（例えば撮影画像データ）や受信したデータ（例えば受信メールのデータ）を記憶する記憶領域を備えている。
【００５１】
制御回路部８は、演算部、制御部を備え、記憶装置９に記憶されている各プログラムを実行することにより、各種演算及び各種制御を行う。すなわち、制御回路部８には、操作部３の各検出スイッチ、カメラ２の受光センサ、アンテナ５及び送話部６からの検出信号が入力されるようになっていて、制御回路部８は、該入力に基づいて各種のプログラムの起動・実行等の処理を行うようになっている。また、このプログラムの内容に応じて、制御回路部８は、表示装置４、アンテナ５及び受話部７等に信号を出力し、これらの動作制御を行ったり、記憶装置９に撮影画像データを記憶させる（保存する）制御を行ったり、撮影画像データの保存先としてのユーザフォルダを記憶装置９に作成する制御を行ったりする。
【００５２】
具体的には、例えば、通話の際には、アンテナ５にて相手方より受信される無線信号を制御回路部８にてデジタル／アナログ変換することにより音声信号を生成し、この音声信号に基づく音声を受話部７に発音させる一方で、送話部６に入力される音声は、制御回路部８でのアナログ／デジタル変換を経てアンテナ５より無線信号として相手方に送信する。
【００５３】
また、例えば、メニュー選択モードの起動操作が行われると、制御回路部８は、携帯電話機１の動作モードをメニュー選択モードに移行させる制御を行い、第１表示装置４ａにメニューリスト（動作モードのリスト）の画像表示を行わせるとともに、該表示されるメニューリストの何れかの選択操作を監視する。続いて、例えば、メニューリストの中からメールモードが選択操作された場合には、制御回路部８は、携帯電話機１の動作モードをメールモードに移行させる処理を行う。
【００５４】
また、メニューリストの中から撮影モードが選択操作されると、制御回路部８は、携帯電話機１の動作モードを撮影モードに移行させる制御を行う。すなわち、撮影モードを起動するとともに、該起動の結果として、受光素子２２からの検出信号に基づく画像表示を表示装置４に行わせる状態に移行する。撮影モードにおいて撮影操作の検出信号が入力されると、制御回路部８は、撮影画像データの生成処理を行う。すなわち、撮影操作の際に受光センサより入力されていた光学像の画像データを生成する処理（画像データの取込）を行う。なお、この際に、制御回路部８は、生成した撮影画像データを記憶装置９の一時保存フォルダに記憶させる処理も行う。
【００５５】
また、ユーザによる撮影操作に続いて、制御回路部８は、撮影により得られた撮影画像データを保存するか否かをユーザに選択させるための選択画面を第１表示装置４ａに表示させる。なお、選択画面としては、例えば、「撮影画像データを保存する」との選択項目と、「撮影画像データを保存しない」との選択項目とを表示する画面表示が挙げられる。また、この画面表示の際に、何れかの選択項目を、例えば十字カーソルキー４２の操作により選択でき、また、この選択を確定キー４３により確定することができるようになっている。つまり、このようにして、撮影画像データの保存を要求する保存要求操作を行うことが可能となっている。
【００５６】
そして、保存要求操作がなされた場合、すなわち、選択項目のうち「撮影画像データを保存する」が選択及び確定された場合には、撮影操作にて操作された数字キー（数字キー３１〜４０の何れか１つ）と対応する保存先に撮影画像データを保存する制御を行う。
【００５７】
なお、撮影画像データの保存先としてのユーザフォルダは、ユーザが予め作成することにより利用可能となる。ユーザフォルダは、例えば、撮影モードにて、該撮影モードのサブメニューとしてのユーザフォルダ作成モードを起動し、該ユーザフォルダ作成モードにてユーザフォルダ作成操作を行うことによって作成することができるようになっている。ここで、ユーザフォルダ作成モードの起動操作は、例えば、撮影モードにおいてメニューキー４１を操作することによりなされ、ユーザフォルダ作成操作は、十字カーソルキー４２を適宜に操作して、例えば「新しいユーザフォルダを作成する」といった選択項目を選択し、該選択を（確定キー４３の操作により）確定することによってなされる。すなわち、携帯電話機１は、ユーザが撮影画像データの保存先（ユーザフォルダ）を作成する操作を行うための保存先作成操作手段（メニューキー４１、十字カーソルキー４２及び確定キー４３により構成されている）と、該保存先作成操作手段の操作に基づき保存先を作成する制御を行う保存先作成制御手段（制御回路部８により構成される）とを更に備える。
【００５８】
本実施形態では、例えば、ユーザフォルダ「１」〜ユーザフォルダ「１０」の都合１０個までのユーザフォルダを作成可能となっている。また、「１」キー３１にはユーザフォルダ「１」が、「２」キー３２にはユーザフォルダ「２」が、「３」キー３３にはユーザフォルダ「３」が、「４」キー３４にはユーザフォルダ「４」が、「５」キー３５にはユーザフォルダ「５」が、「６」キー３６にはユーザフォルダ「６」が、「７」キー３７にはユーザフォルダ「７」が、「８」キー３８にはユーザフォルダ「８」が、「９」キー３９にはユーザフォルダ「９」が、「０」キー４０にはユーザフォルダ「１０」が、それぞれ対応付けられる。
【００５９】
次に、図４を参照して、撮影を行うとともに該撮影に基づき生成される撮影画像データを何れかのユーザフォルダ「１」〜「１０」に保存するに際してのユーザの操作について説明する。
【００６０】
先ず、ユーザは、撮影前に予めユーザフォルダを必要なだけ作成しておく（ステップＳ１）。次に、携帯電話機１の動作モードとして、撮影モードを選択する操作を行う。この結果、制御回路部８は撮影モードを起動する（ステップＳ２）。次に、撮影操作を行う。すなわち、ファインダーとしての第１表示装置４ａにより被写体像を確認しながら、ユーザが良いと判断したタイミングで撮影操作を行う。ここで押圧操作するのは、数字キー３１〜３２のうち、所望のユーザフォルダと対応する数字キーである。つまり、この撮影操作に基づき生成される撮影画像データをユーザフォルダ「１」に保存したい場合には、「１」キー３１を選択して操作する（ステップＳ３）。また、この撮影操作に続いては、撮影画像データを保存するか否かの選択画面が表示されるので、ユーザは、例えば、該撮影操作に基づく撮影画像データの保存を要求する保存要求操作を行う（ステップＳ４）。
【００６１】
また、制御回路部８は、これらの一連の操作がなされる結果として、ユーザが指定したユーザフォルダへの撮影画像データの保存を行う。なお、撮影画像データを保存するか否かの選択画面が表示された際に、撮影画像データの保存を要求しない操作（「撮影画像データを保存しない」を選択及び確定する操作）がなされた場合には、ユーザが指定したユーザフォルダへの撮影画像データの保存は行わない。すなわち、保存先指定用撮影操作手段としての数字キー（数字キー３１〜４０の何れか１つ）による撮影操作に続いて、保存要求操作がなされた場合にのみ、該撮影操作にて操作された数字キーと対応する保存先に撮影画像データを保存する。
【００６２】
次に、図５を参照して、制御回路部８が行う制御について詳細に説明する。
【００６３】
先ず、携帯電話機１の動作モードとして撮影モードが選択されたとする。すなわち、撮影モードを選択する操作がユーザによりなされたとする。すると、制御回路部８は、図５に示す処理を開始する。
【００６４】
図５に示す処理では、先ず、ステップＳ１１にて、撮影モードを起動する処理を行って、ステップＳ１２に移行する。
【００６５】
ステップＳ１２では、撮影操作キーとしての「１」キー３１〜「０」キー４０の何れかが操作されたか否かを判定し、操作されたと判定した場合（ステップＳ１２のＹＥＳ）には撮影画像データを生成するとともに、ステップＳ１３に移行する。
【００６６】
ステップＳ１３では、撮影画像データの保存を要求する操作がなされたか否かを判定する。
【００６７】
ステップＳ１３にて、操作されていないと判定した場合（ステップＳ１３のＮＯ）には再びステップＳ１２に移行する。
【００６８】
他方、ステップＳ１３にて、操作されたと判定した場合（ステップＳ１３のＹＥＳ）には、先のステップＳ１２にて操作されたのは何れの撮影操作キーであったかの判定と、操作されたと判定した撮影操作キーに対応するユーザフォルダへの撮影画像データの保存と、を行う処理（ステップＳ１４〜ステップＳ２０等）に移行する。
【００６９】
すなわち、先ず、ステップＳ１４に移行し、先のステップＳ１２にて操作されたのは「１」キー３１であったか否かを判定する。ステップＳ１４にて、「１」キー３１であったと判定した場合（ステップＳ１４のＹＥＳ）にはステップＳ１５に移行し、先のステップＳ１２での撮影操作に基づく撮影画像データをユーザフォルダ「１」に保存する処理を行う一方で、ステップＳ１４にて「１」キー３１ではなかったと判定した場合（ステップＳ１４のＮＯ）にはステップＳ１６に移行する。ステップＳ１６では、先のステップＳ１２にて操作されたのは「２」キー３２であったか否かを判定する。ステップＳ１６にて、「２」キー３２であったと判定した場合（ステップＳ１６のＹＥＳ）にはステップＳ１７に移行し、撮影画像データをユーザフォルダ「２」に保存する処理を行う一方で、「２」キー３２ではなかったと判定した場合（ステップＳ１６のＮＯ）には、「３」キー３３であったか否かを判定するステップ（図示略）に移行し、以後、同様に、「４」キー３４〜「８」キー３８であったか否かを判定するステップ（図示略）を行うか、又は、これら何れかのステップにて何れの撮影操作キーであったか判定できた場合には、各々の撮影操作キーに対応するユーザフォルダに撮影画像データを保存する処理を行う。また、「８」キー３８であったか否かを判定するステップにて、「８」キー３８でなかったと判定した場合には、ステップＳ１８に移行する。ステップＳ１８では、先のステップＳ１２にて操作されたのは「９」キー３９であったか否かを判定する。ステップＳ１８にて、「９」キー３９であったと判定した場合（ステップＳ１８のＹＥＳ）にはステップＳ１９に移行し、先のステップＳ１２での撮影操作に基づく撮影画像データをユーザフォルダ「９」に保存する処理を行う一方で、ステップＳ１８にて「９」キー３９ではなかったと判定した場合（ステップＳ１８のＮＯ）にはステップＳ２０に移行して、該撮影画像データをユーザフォルダ「１０」に保存する処理を行う。何れかのユーザフォルダに撮影画像データを保存した後は、再びステップＳ１２からの処理を行う。
【００７０】
また、先のステップＳ１２にて、何れの数字キー３１〜３９も操作されていないと判定した場合（ステップＳ１２のＮＯ）には、ステップＳ２１に移行する。
【００７１】
ステップＳ２１では、撮影モードを終了させるための終了キー（例えば終話キー４４が終了キーとしての機能を担う）が操作されたか否かを判定する。ステップＳ２１にて、終話キー４４が操作されていないと判定した場合（ステップＳ２１のＮＯ）には再びステップＳ１２からの処理を行う一方で、操作されたと判定した場合（ステップＳ２１のＹＥＳ）にはステップＳ２２に移行する。ステップＳ２２では、撮影モードを終了させる処理を行って、図５に示す処理を終了する。
【００７２】
ここで、図５に示すように、携帯電話機１は、撮影モードとなっている状態時において撮影操作キー（保存先指定用撮影操作手段）としての「１」キー３１〜「０」キー４０が操作されることで撮影が実行された場合に、該操作に基づき生成される撮影画像データを該操作された保存先指定用撮影操作手段に対応する保存先（ユーザフォルダ「１」〜「１０」の何れか）へ保存する制御を、一連の撮影モード中に行う。このため、従来の場合とは異なり、撮影画像データをユーザフォルダに保存するに際して撮影モードを終了させる必要がない。
【００７３】
また、撮影操作に続いて、該撮影操作に基づく撮影画像データの保存を要求する保存要求操作がなされた場合（ステップＳ１３のＹＥＳ）に、該撮影操作にて操作されたのは何れの保存先指定用撮影操作手段であったかを判定し（ステップＳ１４、Ｓ１６、・・・、Ｓ１８）、該操作されたと判定した撮影操作手段に対応する保存先へ撮影画像データを保存する（ステップＳ１５、Ｓ１７、Ｓ１９、・・・、Ｓ２０）。
【００７４】
なお、例えば、撮影モードにおけるサブメニューには、操作別保存制御実行手段としての制御回路部８による撮影画像データの保存制御（図５の処理）が有効な状態と、無効な状態と、の何れか一方に切り替える操作を実行可能となるメニューが含まれている。
【００７５】
すなわち、例えば、該メニューを、メニューキー４１、十字カーソルキー４２及び確定キー４３の操作により起動する。すると、第１表示装置４ａの表示は、例えば、「撮影操作で指定したユーザフォルダに撮影画像データを保存する」との選択項目と、「撮影操作で指定したユーザフォルダには撮影画像データを保存しない」との選択項目と、が表示された選択画面となる。また、この選択画面の際に、何れかの選択項目を、例えば十字カーソルキー４２の操作により選択でき、また、この選択を確定キー４３により確定することができるようになっている。そして、制御回路部８は、「撮影操作で指定したユーザフォルダには撮影画像データを保存しない」との選択項目が選択及び確定された場合には、撮影画像データの保存制御（図５の処理）が有効な状態に切り替える（或いは維持させる）一方で、「撮影操作で指定したユーザフォルダには撮影画像データを保存しない」との選択項目が選択及び確定された場合には、撮影画像データの保存制御が無効な状態に切り替える（或いは維持させる）。すなわち、携帯電話機１は、操作別保存制御実行手段としての制御回路部８による撮影画像データの保存制御が有効な状態と、無効な状態と、の何れか一方に切替操作するための保存制御有効／無効切替操作手段（ひいては制御有効／無効切替操作手段）を備える。
【００７６】
ここで、保存制御有効／無効切替操作手段（制御有効／無効切替操作手段）は、例えば、メニューキー４１、十字カーソルキー４２及び確定キー４３により構成される。なお、操作別保存制御実行手段としての制御回路部８による保存制御が無効な状態では、ユーザフォルダへの撮影画像データの保存は、例えば、従来と同様の操作並びに制御を経てなされる。
【００７７】
以上のように、第１の実施形態に係る携帯電話機１によれば、操作別保存制御実行手段としての制御回路部８を備えるので、撮影画像データを所望の保存先（ユーザフォルダ「１」〜「１０」の何れか）へ保存するためには、該保存先が対応付けられている保存先指定用撮影操作手段（数字キー３１〜４０の何れか）を選んで操作すれば良い。よって、従来のような煩雑な操作或いは制御を経る必要が無く、撮影画像データを所望のユーザフォルダへ保存するに際してのユーザ操作並びに携帯電話機１による制御を共に簡略化することが可能となる。
〔第２の実施形態〕
第２の実施形態に係る携帯電話機１は、以下に説明する点でのみ上記の第１の実施形態に係る携帯電話機１と異なり、その他の点では第１の実施形態に係る携帯電話機１と同様であるので、同様の構成要素には同一の符号を付し、その説明を省略する。
【００７８】
第２の実施形態に係る携帯電話機１は、撮影画像データに関する制御として、第１の実施形態の場合の制御の他に、撮影画像データの画像サイズを複数種類の画像サイズ（例えば、Ｌサイズ、Ｍサイズ及びＳサイズ）の何れかに設定する制御を行うことが可能に構成されている。ここで、保存先指定用撮影操作手段（数字キー３１〜４０）には、何れかの画像サイズに対応付けられて画像サイズの指定操作に兼用されるサイズ指定用撮影操作手段（例えば、「１」キー３１，「２」キー３２及び「３」キー３３）が含まれている。すなわち、具体的には、例えば、「１」キー３１はＬサイズに、「２」キー３２はＭサイズに、「３」キー３３はＳサイズに対応付けられている。そして、サイズ指定用撮影操作手段のうち一の撮影操作手段（例えば「１」キー３１）が操作された場合に、該操作に基づく撮影画像データの画像サイズを、該操作されたサイズ指定用撮影操作手段と対応する画像サイズ（Ｌサイズ）に設定する制御を、操作別サイズ設定制御実行手段としての制御回路部８が行う。
【００７９】
なお、第２の実施形態に係る携帯電話機１の場合、例えば、撮影モードにおけるサブメニューには、操作別サイズ設定制御実行手段としての制御回路部８による画像サイズの設定制御が有効な状態と、無効な状態と、の何れか一方に切り替える操作を実行可能となるメニューが含まれている。すなわち、例えば、該メニューを、メニューキー４１、十字カーソルキー４２及び確定キー４３の操作により起動する。すると、第１表示装置４ａの表示は、例えば、「撮影操作で指定した画像サイズに設定する」との選択項目と、「撮影操作で指定した画像サイズには設定しない」との選択項目と、が表示された選択画面となる。また、この選択画面の際に、何れかの選択項目を、例えば十字カーソルキー４２の操作により選択でき、また、この選択を確定キー４３により確定することができるようになっている。そして、制御回路部８は、「撮影操作で指定した画像サイズに設定する」との選択項目が選択及び確定された場合には、画像サイズの設定制御が有効な状態に切り替える（或いは維持させる）一方で、「撮影操作で指定した画像サイズには設定しない」との選択項目が選択及び確定された場合には、画像サイズの設定制御が無効な状態に切り替える（或いは維持させる）。
【００８０】
すなわち、携帯電話機１は、操作別サイズ設定制御実行手段としての制御回路部８による画像サイズの設定制御が有効な状態と、無効な状態と、の何れか一方に切替操作するためのサイズ設定制御有効／無効切替操作手段（例えば、メニューキー４１、十字カーソルキー４２及び確定キー４３により構成される）を備える。なお、操作別サイズ設定制御実行手段としての制御回路部８による画像サイズの設定制御が無効な状態では、画像サイズの設定は、例えば、従来と同様の操作並びに制御を経てなされる。
【００８１】
ところで、本実施形態の場合、「１」キー３１，「２」キー３２及び「３」キー３３は、保存先指定用撮影操作手段としての機能と、サイズ指定用撮影操作手段としての機能とを兼ね備えるため、操作別サイズ設定制御実行手段による画像サイズの設定制御と、操作別保存制御実行手段による保存制御とを同時に有効とさせた場合には不都合が生じることがある。
【００８２】
そこで、第２の実施形態に係る携帯電話機１は、操作別保存制御実行手段による撮影画像データの保存制御と、操作別サイズ設定制御実行手段による画像サイズの設定制御と、のうち何れか一方が有効となっている状態の時に、他方を有効とさせる切替操作がユーザによりなされた場合には、制御回路部８は、例えば第１表示装置４ａに表示によるエラー報知を行わせる。ここで、第１表示装置４ａ及び制御回路部８によりエラー報知手段が構成されている。なお、操作別保存制御実行手段による撮影画像データの保存制御が有効となっている状態時に、操作別サイズ設定制御実行手段による画像サイズの設定制御を有効とさせる操作がなされた場合には、例えば、「撮影操作によるフォルダ指定が有効となっているため、画像サイズ指定を有効にできません」とのエラー報知表示を行う一方で、操作別サイズ設定制御実行手段による画像サイズの設定制御を有効となっている状態時に、操作別保存制御実行手段による撮影画像データの保存制御を有効とさせる操作がなされた場合には、例えば、「撮影操作による画像サイズ指定が有効となっているため、フォルダ指定を有効にできません」とのエラー報知表示を行う。
【００８３】
次に、図６を参照して、第２の実施形態の場合の動作を説明する。
【００８４】
なお、予め、携帯電話機１の状態を、操作別サイズ設定制御実行手段としての制御回路部８による画像サイズの設定制御が有効な状態に設定しておく。
【００８５】
先ず、携帯電話機１の動作モードとして撮影モードを選択する操作を行って、撮影モードを起動させる（ステップＳ３１）。
【００８６】
次に、数字キー３１〜３３のうち、所望の画像サイズと対応する数字キーにより撮影操作を行う（ステップＳ３２）。すなわち、例えば、画像サイズがＬサイズとなるように撮影を行いたい場合には、数字キー３１を押圧操作する。
【００８７】
この結果、制御回路部８は、ステップＳ３２での撮影操作に基づく撮影画像データの画像サイズを、該操作されたサイズ指定用撮影操作手段（例えば数字キー３１）と対応する画像サイズ（例えばＬサイズ）に設定する制御を行う。
【００８８】
このように、第２の実施形態に係る携帯電話機１によれば、操作別サイズ設定制御実行手段としての制御回路部８を備えるので、所望の画像サイズとなるように撮影を行うためには、該画像サイズが対応付けられているサイズ指定用撮影操作手段（数字キー３１〜３３の何れか１つ）を選んで操作すれば良い。よって、従来の場合とは異なり、画像サイズの設定を撮影の前に予め行う必要が無く、所望の画像サイズとなるように撮影を行うに際してのユーザ操作並びに携帯電話機１による制御を共に簡略化することが可能となる。
＜変形例１＞
第２の実施形態では、保存制御有効／無効切替操作手段及びサイズ設定制御有効／無効切替操作手段を備える例を説明したが、変形例１では、これら両操作手段に代えて、操作別保存制御実行手段としての制御回路部８による撮影画像データの保存制御と、操作別サイズ設定制御実行手段としての制御回路部８による画像サイズの設定制御と、のいずれか一方を択一的に有効化させる操作を行うための有効化状態切替操作手段を備える例について説明する。
【００８９】
すなわち、変形例１の携帯電話機１の場合、撮影モードにおけるサブメニューには、操作別保存制御実行手段としての制御回路部８による撮影画像データの保存制御と、操作別サイズ設定制御実行手段としての制御回路部８による画像サイズの設定制御と、のいずれか一方を択一的に有効化させる操作を実行可能となるメニューが含まれている。該メニューでは、例えば、メニューキー４１、十字カーソルキー４２及び確定キー４３の操作により、操作別保存制御実行手段による撮影画像データの保存制御と、操作別サイズ設定制御実行手段による画像サイズの設定制御と、のいずれか一方を択一的に有効化させることができるようになっている。ここで、メニューキー４１、十字カーソルキー４２及び確定キー４３は、有効化状態切替操作手段を構成する。
【００９０】
このような変形例１によれば、有効化状態切替操作手段を備えるので、保存制御有効／無効切替操作手段、サイズ設定制御有効／無効切替操作手段及びエラー報知手段を備える必要がない。
＜変形例２＞
第２の実施の形態では、撮影画像データに関する制御として、第１の実施形態の制御の他に、撮影画像データの画像サイズを複数種類の画像サイズの何れかに設定する制御を行うことが可能な例を説明したが、変形例２では、第１の実施形態制御は行わないようにする。変形例２の場合、例えば、数字キーのうち、「１」キー３１、「２」キー３２及び「３」キー３３のみが撮影操作手段として機能するように構成されていれば足りる。なお、変形例２の場合、保存制御有効／無効切替操作手段及びエラー報知手段を備える必要がない。
＜変形例３＞
上記の各実施形態並びに変形例では、撮影画像データに関する制御として、第１の実施形態の制御と、撮影画像データの画像サイズを複数種類の画像サイズの何れかに設定する制御とのうち、一度には何れか一方のみが実行可能である例を説明したが、変形例３では、これら両制御を一度に実行可能とする例について説明する。
【００９１】
なお、簡単のため、変形例３では、撮影操作手段が数字キー３１〜３９の９つだけであるものとし、保存先はユーザフォルダ「１」〜「３」の３つだけであるとする。
【００９２】
変形例３の携帯電話機１は、撮影画像データに関する制御として、撮影画像データを、該撮影画像データの画像サイズを複数種類の画像サイズ（Ｌサイズ、Ｍサイズ及びＳサイズ）の何れかに設定して複数の保存先（例えばユーザフォルダ「１」〜「３」）の何れかへ保存する制御を行うことが可能に構成されている。そして、数字キー３１はユーザフォルダ「１」及びＬサイズに、数字キー３２はユーザフォルダ「１」及びＭサイズに、数字キー３３はユーザフォルダ「１」及びＳサイズに、数字キー３４はユーザフォルダ「２」及びＬサイズに、数字キー３５はユーザフォルダ「２」及びＭサイズに、数字キー３６はユーザフォルダ「２」及びＳサイズに、数字キー３７はユーザフォルダ「３」及びＬサイズに、数字キー３８はユーザフォルダ「３」及びＭサイズに、数字キー３９はユーザフォルダ「３」及びＳサイズに、それぞれ対応付けられている。つまり、各々の数字キー３１〜３３は、サイズ・保存先指定用撮影操作手段を構成している。そして、一のサイズ・保存先指定用撮影操作手段（例えば、数字キー３１）が操作された場合に、該操作に基づく撮影画像データを、該操作されたサイズ・保存先指定用撮影操作手段（数字キー３１）と対応する画像サイズ（Ｌサイズ）に設定して対応する保存先（ユーザフォルダ「１」）へ保存する制御を、操作別サイズ設定・保存制御実行手段としての制御回路部８が行う。
【００９３】
また、変形例３の携帯電話機１は、例えば、撮影モードにおけるサブメニューには、操作別サイズ設定・保存制御実行手段としての制御回路部８による撮影画像データのサイズ設定・保存制御が有効な状態と、無効な状態と、の何れか一方に切り替える操作を実行可能となるメニューが含まれている。該メニューでは、例えば、メニューキー４１、十字カーソルキー４２及び確定キー４３の操作により、操作別サイズ設定・保存制御実行手段による撮影画像データのサイズ設定・保存制御が有効な状態と、無効な状態と、の何れか一方に切替操作することができるようになっている。ここで、メニューキー４１、十字カーソルキー４２及び確定キー４３は、サイズ設定・保存制御有効／無効切替操作手段を構成している。
【００９４】
このような変形例３によれば、一度の撮影操作により撮影画像データの保存先と画像サイズとを指定することができる。なお、保存制御有効／無効切替操作手段、サイズ設定制御有効／無効切替操作手段及びエラー報知手段は備える必要がない。
＜変形例４＞
変形例４では、保存先指定用撮影操作手段と、サイズ指定用撮影操作手段とが互いに別個の数字キーに割り当てられている例について説明する。
【００９５】
なお、簡単のため、変形例４では、保存先がユーザフォルダ「１」〜「７」の都合７つだけであるとする。
【００９６】
変形例４に係る携帯電話機１の数字キー（撮影操作手段）３１〜４０のうち、例えば、数字キー３１〜３７は、何れかの保存先（ユーザフォルダ「１」〜「７」の何れか）に１対１で対応付けられて保存先の指定操作に兼用される保存先指定用撮影操作手段を構成する一方で、例えば、数字キー３８〜４０は、何れかの画像サイズ（Ｌサイズ、Ｍサイズ及びＳサイズ）に１対１で対応付けられて画像サイズの指定操作に兼用されるサイズ指定用撮影操作手段を構成する。すなわち、撮影操作手段には、何れかの保存先に対応付けられて保存先の指定操作に兼用される複数の保存先指定用撮影操作手段（数字キー３１〜３７）と、これら保存先指定用撮影操作手段とは別個で、何れかの画像サイズに対応付けられて画像サイズの指定操作に兼用される複数のサイズ指定用撮影操作手段（数字キー３８〜４０）とが含まれている。
【００９７】
変形例４に係る携帯電話機１によれば、保存先指定用撮影操作手段と、サイズ指定用撮影操作手段とが互いに別個の数字キーに割り当てられているので、これらを区別して操作することにより、撮影とともに撮影画像データの保存先を指定したり、或いは、撮影とともに撮影画像データの画像サイズを指定したりすることができる。よって、例えば、サイズ設定制御有効／無効切替操作手段、保存制御有効／無効切替操作手段及びエラー報知手段を備える必要がない。
【００９８】
なお、上記の各実施形態並びに各変形例では、操作別制御実行手段としての制御回路部８が行う撮影画像データに関する制御の例として、撮影画像データを撮影操作手段と対応する保存先に保存する制御と、撮影画像データの画像サイズを撮影操作手段と対応する画像サイズに設定する制御と、撮影画像データを撮影操作手段と対応する画像サイズに設定して対応する保存先に保存する制御と、を例示したが、本発明はこれに限らず、例えば、撮影画像データを撮影操作手段と対応する画像データ形式に設定する制御、撮影画像データにおける色数を撮影操作手段と対応する色数に設定する制御、撮影操作手段と対応するメール送信先宛に撮影画像データを添付したメールを送信する制御等を行うようにしても良い。
【００９９】
また、操作別保存制御実行手段或いは操作別サイズ設定・保存制御実行手段としての制御回路部８が撮影画像データを保存する保存先は、全て、ユーザが予め作成したユーザフォルダである例を説明したが、この例に限らず、例えば、該保存先の一部のみがユーザフォルダであり、残りの一部は、携帯電話機１が元々備える既製フォルダであっても良い。
【０１００】
また、保存先指定用撮影操作手段或いはサイズ・保存先指定用撮影操作手段の操作による撮影操作に続いて、保存要求操作がなされた場合のみ、該撮影操作にて指定されたユーザフォルダ「１」〜「１０」に撮影画像データを保存する例を説明したが、保存先指定用撮影操作手段或いはサイズ・保存先指定用撮影操作手段の操作による撮影操作がなされた場合は、全て、該撮影操作にて指定されたユーザフォルダ「１」〜「１０」に撮影画像データを保存するようにしても良い。この場合、撮影画像データを保存するか否かをユーザに選択させるための選択画面の表示制御や保存要求操作が不要となる。
＜変形例５＞
変形例５では、撮影操作を、撮影操作キーを２回操作することにより行う例を説明する。
【０１０１】
すなわち、変形例５の場合、例えば、１回目の操作では撮影画像データの保存先を指定し、２回目の操作では画像サイズを指定する。
【０１０２】
具体的には、例えば、先に「１」キー３１の操作で保存先をユーザフォルダ「１」に指定し、続く「１」キー３１の操作で画像サイズをＬサイズに指定して撮影を行う。或いは、同様に、例えば、先に「１」キー３１の操作で保存先をユーザフォルダ「１」に指定し、続く「２」キー３２の操作で画像サイズをＭサイズに指定したり、先に「１」キー３１の操作で保存先をユーザフォルダ「１」に指定し、続く「３」キー３３の操作で画像サイズをＳサイズに指定したり、先に「２」キー３２の操作で保存先をユーザフォルダ「２」に指定し、続く「３」キー３３の操作で画像サイズをＳサイズに指定したりすることもできる。
【０１０３】
なお、画像データの取込は、例えば、先の（１回目の）操作のタイミングで行うようにしても良いし、続く（２回目の）操作のタイミングで行うようにしても良い。
〔第３の実施形態〕
第３の実施形態に係る携帯電話機１は、以下に説明する点でのみ上記の第１の実施形態に係る携帯電話機１と異なり、その他の点では第１の実施形態に係る携帯電話機１と同様であるので、同様の構成要素には同一の符号を付し、その説明を省略する。
【０１０４】
先ず、第３の実施形態に係る携帯電話機１においては、数字キー３１〜４０のうち、例えば数字キー３１のみが撮影操作手段を構成する。また、数字キー３１は、特定のユーザフォルダに対応付けられてはいない。
【０１０５】
第３の実施形態に係る携帯電話機１における制御回路部８は、撮影操作に続いて、該撮影操作に基づき得られる撮影画像データを何れの保存先（ユーザフォルダ「１」〜「１０」の何れか）に保存するかをユーザに選択させるための選択画面を第１表示装置４ａに表示させる。そして、この選択画面にて、例えば、十字カーソルキー４２及び確定キー４３の操作により何れかのユーザフォルダ（例えばユーザフォルダ「１」）が保存先としてユーザによって選択及び確定されると、制御回路部８は、該選択されたユーザフォルダ（ユーザフォルダ「１」）に撮影画像データを保存する制御を行う。ここで、制御回路部８は、保存制御手段として機能する。
【０１０６】
第３の実施形態に係る携帯電話機１によれば、保存制御手段としての制御回路部８を備えるので、撮影操作を行うことにより、該操作に基づき生成される撮影画像データをユーザが予め作成した保存先（ユーザフォルダ「１」〜「１０」の何れか）に保存することができる。従って、撮影画像データをユーザが予め作成した保存先へ保存するに際してのユーザ操作並びに携帯電話機１による制御を共に簡略化することができる。
【０１０７】
なお、第３の実施形態においては、ユーザフォルダが、例えばユーザフォルダ「１」の１つだけであるように構成しても良い。この場合、撮影操作に基づき、ユーザフォルダの選択画面表示及び選択操作を行うこと無く、ユーザフォルダ「１」に撮影画像データを保存する。また、第３の実施形態においては、サイズ設定制御有効／無効切替操作手段、保存制御有効／無効切替操作手段及びエラー報知手段を備える必要もない。
【０１０８】
また、上記の各実施形態並びに各変形例では、本発明に係る携帯電話機の例として、折り畳み式の携帯電話機１を例示したが、それ以外の形式の携帯電話機であっても良い。
【０１０９】
また、上記の各実施形態並びに各変形例では、本発明に係るカメラ付き電子機器の一例として、携帯電話機１についてのみ説明したが、本発明はこれに限らず、例えば、ＰＨＳ、携帯型情報通信端末（ＰＤＡ）等のその他の携帯情報端末装置にも同様に適用可能である。さらに、本発明は、これらの携帯情報端末装置に限らず、例えば小型の家電製品等にも同様に適用可能である。
【０１１０】
また、撮影操作手段として数字キーを例示したが、その他の操作キーを撮影操作手段としても良い。さらに、撮影操作手段は、操作キーに限らず、その他の操作手段（例えば、レバー）であっても良い。
【０１１１】
【発明の効果】
本発明によれば、操作別制御実行手段を備えるので、複数の撮影操作手段のうち一の撮影操作手段をユーザが選択して操作することにより、該操作に基づく撮影画像データに関する制御を該操作した撮影操作手段と対応する制御態様で行うことができる。つまり、ユーザは、所望の制御態様が対応付けられている撮影操作手段を選んで操作することにより、撮影画像データに関する制御を所望の制御態様でカメラ付き電子機器に行わせることができる。よって、撮影画像データに関する所望の要求を実行するに際してのユーザ操作並びにカメラ付き電子機器による制御を共に簡略化することができる。すなわち、具体的には、例えば、撮影画像データを所望のフォルダへ保存するに際して、或いは、所望の画像サイズとなるように撮影を行うに際して、ユーザ操作並びにカメラ付き電子機器による制御を共に簡略化することが可能となる。
【図面の簡単な説明】
【図１】本発明に係るカメラ付き電子機器の好適な一例としての携帯電話機の全体図であり、特に、カメラが配された側を示す。
【図２】携帯電話機の全体図であり、特に、撮影操作手段が配された側を示す。
【図３】携帯電話機における主要な制御ブロック図である。
【図４】撮影画像データの保存に際してのユーザの操作を説明するためのフローチャートである。
【図５】携帯電話機が行う主要な制御フローを示すフローチャートである。
【図６】撮影画像データの画像サイズ設定に際してのユーザの操作を説明するためのフローチャートである。
【図７】従来の携帯電話機の場合の、撮影画像データ保存に際してのユーザの操作を説明するためのフローチャートである。
【図８】従来の携帯電話機の場合の、撮影画像データの画像サイズ設定に際してのユーザの操作を説明するためのフローチャートである。
【符号の説明】
１    携帯電話機（カメラ付き電子機器、携帯情報端末装置）
２    カメラ
３１，３２，３３  数字キー（撮影操作手段、保存先指定用撮影操作手段、サイズ指定用撮影操作手段、サイズ・保存先指定用撮影操作手段、操作キー、入力操作手段）
３４，３５，３６，３７，３８，３９  数字キー（撮影操作手段、保存先指定用撮影操作手段、サイズ・保存先指定用撮影操作手段、操作キー、入力操作手段）
４０  数字キー（撮影操作手段、保存先指定用撮影操作手段、操作キー、入力操作手段）
４１  メニューキー（制御有効／無効切替操作手段、保存制御有効／無効切替操作手段、サイズ設定制御有効／無効切替操作手段、サイズ設定・保存制御有効／無効切替操作手段）
４２  十字カーソルキー（制御有効／無効切替操作手段、保存制御有効／無効切替操作手段、サイズ設定制御有効／無効切替操作手段、サイズ設定・保存制御有効／無効切替操作手段）
４３  確定キー（制御有効／無効切替操作手段、保存制御有効／無効切替操作手段、サイズ設定制御有効／無効切替操作手段、サイズ設定・保存制御有効／無効切替操作手段）
４ａ  表示装置（エラー報知手段）
８    制御回路部（操作別制御実行手段、操作別保存制御実行手段、操作別サイズ設定制御実行手段、エラー報知手段、操作別サイズ設定・保存制御実行手段、保存制御手段）
９    記憶装置（記憶媒体）
【図１】
2004320622.tif 000003
【図２】
2004320622.tif 000004
【図３】
2004320622.tif 000005
【図４】
2004320622.tif 000006
【図５】
2004320622.tif 000007
【図６】
2004320622.tif 000008
【図７】
2004320622.tif 000009
【図８】
2004320622.tif 000010